(57)【特許請求の範囲】
【請求項１】
昇降路上部の第１のロープヒッチに一端を固定されたロープが、昇降路内の乗りかごの一側面から床下シーブに巻きかけられ、前記乗りかごの他側面に導出され、昇降路上部の巻上機シーブに巻き掛けられ、さらに昇降路内の釣合錘のシーブに巻き掛けられた後、その他端が昇降路内上部の第２のロープヒッチに固定されるようにロープを巻きかけるエレベータのロープ掛け方法であって、
上面にロープドラムを載置し、下面に前記乗りかごの床下シーブを取り付けた作業用のゴンドラを前記昇降路内の上部に上昇させる工程と、
この上昇位置にあるゴンドラ上に設けられたロープドラムの、前記乗りかごの前記一側面との対向側からロープを上向きに繰り出し、前記巻上機シーブに巻き掛けた後、その先端を前記ゴンドラに係止する工程と、
このロープの先端を係止した状態で前記ゴンドラを前記昇降路内の下部まで下降させる工程と、
この下部位置にて前記ロープの先端をゴンドラから取り外して、この下部位置にある前記釣合錘のシーブに巻き掛けた後、その先端を再びゴンドラに係止する工程と、
この下部位置において前記ゴンドラ上のロープドラムを、そのロープ繰り出し側が、前記乗りかごの前記他側面側となるように反転させ、かつ前記ロープドラムからロープを所定長さ繰り出して弛ませる工程と、
前記ゴンドラ上のロープドラムを、そのロープ繰り出し側が元の前記乗りかごの一側面側となるように復帰反転させて、前記弛ませたロープを、ゴンドラの下面に取り付けられた前記乗りかごの床下シーブに巻き掛ける工程と、
前記ゴンドラを前記昇降路内上部に上昇させてこのゴンドラに係止されている前記ロープの先端をゴンドラから外して前記第２のロープヒッチに固定し、かつ前記ロープの基端を、ロープドラムから分離して前記第１のロープヒッチに固定する工程と、
を有するエレベータのロープ掛け方法。
【発明の詳細な説明】
【技術分野】
【０００１】
本発明の実施形態は、昇降路内において、吊支持用のロープを乗りかご、釣合錘及び巻上機の各シーブに巻き掛けるエレベータのロープ掛け方法に関する。
【背景技術】
【０００２】
エレベータの吊支持用のロープを、昇降路内において乗りかご、釣合錘及び巻上機の各機器に引廻して巻き掛ける場合、従来はロープの束を昇降路外の例えば最上階のエレベータホールに仮置きし、順次解きながら昇降路内に搬入して、上述した各機器の綱車に巻きかけ、端部を所定のロープ固定金具に取り付けていた。また、ロープが、鋼製や樹脂製のドラムに予め巻かれている場合では、このドラムを同じくエレベータホールに専用のスタンドなどを用いて回転可能なように仮置きし、このドラムからロープを繰り出して同様にロープ掛け作業を行っていた（例えば、特許文献１参照）。
【０００３】
しかし、上述した従来の方法では、ロープをエレベータホールに仮置しなければならず、据付作業中は、他の業者との共有スペースを占有することになるため、迷惑を掛けることとなる。また、昇降路にてロープの巻き掛け作業を行っているときは、作業者は、ロープを設置している場所を離れなければいけない。このため、ホール前に設置してあるロープの束になんらかの異変、例えば、解けるスピードの変化、障害物への接触などが起こった場合に対応できなかった。
【０００４】
そこで、本件出願人により、ロープの解く場所を据付作業用のゴンドラ上、又は乗りかご上とし、ロープ掛け作業中のロープを全て昇降路内に収め、作業員が視認できる範囲に置くことで、異変が起こったときに即座に対応できるようにしたエレベータのロープ掛け方法が提案されている（特許文献２参照）。
【先行技術文献】
【特許文献】
【０００５】
【特許文献１】特開２００８−３０８２４８号公報
【特許文献２】特開２０１１−２０８０５号公報
【発明の概要】
【発明が解決しようとする課題】
【０００６】
この本件出願人により提案されたロープ掛け方法は、上述のように、ロープ掛け作業中のロープを全て昇降路内に収め、作業員が視認できる範囲に置くことから、ロープ掛け作業が容易になると共に、ロープ掛け作業中のロープは、全て昇降路内に収められ、作業員が視認できる範囲に置かれるので、異変が起こったときにも即座に対応することができ特徴を備えている。しかし、この方法では、巻上機シーブにロープを巻き掛ける際、ロープ端部から引き回して巻き掛けるのではなく、ロープをＵ字状に形成し、このＵ字部分を巻き上げ機シーブに巻き掛ける所謂U字掛けを行わなければならないという制限がある。このような制限があると、機器の配置構成などによってはロープの巻き掛け作業が難しくなってしまう場合がある。
【０００７】
本発明が解決しようとする課題は、シーブに対するロープの巻き掛けに制限を受けることなく昇降路内でのロープ巻きかけ作業を容易に行うことができるエレベータのロープ掛け方法を提供することにある。
【課題を解決するための手段】
【０００８】
本発明の実施の形態に係るエレベータのロープ掛け方法は、昇降路上部の第１のロープヒッチに一端を固定されたロープが、昇降路内の乗りかごの一側面から床下シーブに巻きかけられ、前記乗りかごの他側面に導出され、昇降路上部の巻上機シーブに巻き掛けられ、さらに昇降路内の釣合錘のシーブに巻き掛けられた後、その他端が昇降路内上部の第２のロープヒッチに固定されるようにロープを巻きかけるエレベータのロープ掛け方法であって、上面にロープドラムを載置し、下面に前記乗りかごの床下シーブを取り付けた作業用のゴンドラを前記昇降路内の上部に上昇させる工程と、この上昇位置にあるゴンドラ上に設けられたロープドラムの、前記乗りかごの前記一側面との対向側からロープを上向きに繰り出し、前記巻上機シーブに巻き掛けた後、その先端を前記ゴンドラに係止する工程と、このロープの先端を係止した状態で前記ゴンドラを前記昇降路内の下部まで下降させる工程と、この下部位置にて前記ロープの先端をゴンドラから取り外して、この下部位置にある前記釣合錘のシーブに巻き掛けた後、その先端を再びゴンドラに係止する工程と、この下部位置において前記ゴンドラ上のロープドラムを、そのロープ繰り出し側が、前記乗りかごの前記他側面側となるように反転させ、かつ前記ロープドラムからロープを所定長さ繰り出して弛ませる工程と、前記ゴンドラ上のロープドラムを、そのロープ繰り出し側が元の前記乗りかごの一側面側となるように復帰反転させて、前記弛ませたロープを、ゴンドラの下面に取り付けられた前記乗りかごの床下シーブに巻き掛ける工程と、前記ゴンドラを前記昇降路内上部に上昇させてこのゴンドラに係止されている前記ロープの先端をゴンドラから外して前記第２のロープヒッチに固定し、かつ前記ロープの基端を、ロープドラムから分離して前記第１のロープヒッチに固定する工程とを有する。
【図面の簡単な説明】
【０００９】
【図１】本発明の一実施の形態に係るエレベータのロープ掛け方法を説明する図である。
【図２】本発明の一実施の形態に係るエレベータのロープ掛け方法によりロープを掛けられたエレベータ装置を示す図である。
【発明を実施するための形態】
【００１０】
以下、本発明の実施の形態について、図面を参照視して詳細に説明する。
【００１１】
この実施の形態に係るエレベータのロープ掛け方法は、最終的に、図２で示すように、乗りかご１１の床下シーブ１２、巻上機シーブ１３、釣合錘１４の吊シーブ１５に、それぞれロープ１６を巻き掛ける方法である。
【００１２】
すなわち、エレベータ装置は、図示しない建物の昇降路２１の上部に第１のロープヒッチ２２が設けられており、ロープ１６の一端は、このロープヒッチ２２に固定されている。昇降路２１内には乗りかご１１及び釣合錘１２がそれぞれ図示しないガイドレールにより昇降可能に案内支持されている。一端をロープヒッチ２２に固定されたロープ１６は、乗りかご１１の一側面（図示左側面）から床下シーブ１２に巻き掛けられ、乗りかご１１の他側面（図示右側面）に導出され、昇降路２１の上部に設けられた巻上機シーブ１３に巻き掛けられる。このロープ１６は、さらに昇降路２１内の釣合錘１４のシーブ１５に巻き掛けられた後、その他端は昇降路２１内上部に設けられた第２のロープヒッチ２３に固定されるように巻き掛けられる。
【００１３】
このような構成にロープ１６を巻き掛ける方法を図１により説明する。この方法には、作業用のゴンドラ２５を用いる。このゴンドラ２５は、図示しない工事用の揚重機により昇降路２１内を任意に昇降できるように構成されている。また、このゴンドラ２５は、その上面にロープドラム２６を載置し、下面に乗りかごの床下シーブ１２を取り付けている。ロープドラム２６は吊支用のロープ１６を巻き付けたもので、このロープ１６を図示上方に繰り出せるように回転可能に支持されている。また、このロープドラム２６は、その繰り出し側を、図示左側から右側に、また右側から左側に任意に変更できるように支持されている。床下シーブ１２は、それを回転可能に支持する乗りかご１１の床部材１１ａと共にゴンドラ２５の下面に一体的に取り付けられている。
【００１４】
以下、ロープ１６の巻き掛け方法を工程毎に説明する。
【００１５】
工程Ａ：上述のように上面にロープドラム２６を載置し、下面に乗りかご１１の床下シーブ１２を取り付けた作業用のゴンドラ２６を、図示しない揚重機により昇降路２１内の上部に上昇させ、巻上機シーブ１３の近くに位置させる。
【００１６】
工程Ｂ：この上昇位置にあるゴンドラ２５上に設けられたロープドラム２６の図示左側、すなわち、乗りかご１１の一側面（図示左側面）との対向側からロープ１６を上向きに繰り出し、その先端を巻上機シーブ１３に巡らして巻き掛ける。その後、ロープ１６の先端を、ゴンドラ２５の図示左側に係止する。
【００１７】
工程Ｃ：ロープ１６の先端を係止した状態で、ゴンドラ２５を揚重機により昇降路２１内の下部まで下降させ、昇降路２１の下部に位置する釣合錘１４の近くに位置させる。
【００１８】
工程Ｄ：昇降路２１内の下部位置にて、ロープ１６の先端をゴンドラ２５から取り外して、この下部位置にある釣合錘１４のシーブ１５に図示のように巻き掛ける。その後、このロープ１６の先端を再びゴンドラ２５に係止する。
【００１９】
工程Ｅ：この昇降路２１内の下部位置において、ゴンドラ２５上のロープドラム２６を、そのロープ繰り出し側が、図示右側、すなわち、乗りかご１１の他側面（図示右側面）側となるように矢印ａ方向に反転させる。この状態で、ロープドラム２６からロープ１６を繰り出して図示のように弛ませる。この弛ませる長さは、床下シーブ１２への後述する巻き掛けに必要な長さとする。
【００２０】
工程Ｆ：ゴンドラ２５上のロープドラム２６を、そのロープ繰り出し側が元の図示左側、すなわち、乗りかご１１の一側面（図示左側面）側となるように矢印ｂ方向に復帰反転させる。この操作により、ロープ１６の、ロープドラム２６からの繰り出し側が図示左側に移動するので、ロープ１６の弛ませた部分が、ゴンドラ２５の下面に取り付けられた床下シーブ１２に図示のように巻き掛けられる。また、ロープドラム２６を矢印ｂ方向に復帰反転させることにより、上述した工程Ｅにおいてロープドラム２６を矢印ａ方向に反転させたことによりロープ１６に生じたねじれを元に戻して解消することができる。
【００２１】
工程Ｇ：ロープ１６の先端を係止したゴンドラ２５を昇降路２１内の上部に再び上昇させる。この上昇位置において、ゴンドラ２５に係止されているロープ１６の先端をゴンドラ２５から外して、第２のロープヒッチ２３に固定する。また、このロープ１６の基端側を、ロープドラムから分離して第１のロープヒッチ２２に固定する。
【００２２】
上述したＡ〜Ｇの工程を実施することにより、図２で示した、ロープ１６の一端が第１のロープヒッチ２２に固定され、乗りかご１１の床下シーブ１２に巻き掛けられた後、巻上機シーブ１３に巻き掛けられ、さらに、釣合錘１４のシーブ１５に巻き掛けられた後、その他端が第２のロープヒッチ２３に固定される巻き掛け構成となる。
【００２３】
ここで、工程Ｂ〜Ｃ等のように、巻上機シーブ１３に巻き掛けられたロープ１６が大きく移動する場合は、このロープ１６の移動を可能にするために、巻上機シーブ１３を空転させる必要がある。このような場合は、巻上機のブレーキ回路に通電して、ブレーキを開放したり、その他、専用の開放次具により巻上機シーブ１３を回転可能とすればよい。
【００２４】
上述の説明では、巻き掛けられるロープ１６の本数については特に説明しなかったが、通常エレベータの主索は複数本のロープにより構成されているので、上述の工程Ａ〜Ｇのロープ掛け作業は１本づつ行ったり、或いは、複数本まとめて行ったりすることができる。複数本のロープをまとめて巻き掛ける場合は、ゴンドラ２５上に複数のロープドラム２６を載置し、これらからそれぞれロープを繰り出しながら工程Ａ〜Ｇの作業を実施すればよい。
【００２５】
なお、図２で示した乗りかご１１は、上述した工程Ａ〜Ｇによるロープ掛け終了後、ゴンドラ２５を昇降路２１内から撤去し、床下シーブ１２を備えた床材１１ａを基にして、昇降路２１内で組み立てる。
【００２６】
以上のように、上述した実施の形態にかかるエレベータのロープ掛け方法では、巻上機シーブ１３に対するロープ掛けが、ロープ１６の先端から巻上機シーブ１３に巡らせて巻き掛けるので、シーブに対するロープの巻き掛けに制限を受けることはなく、高所における巻き掛け作業が容易かつ安全となり、作業効率が向上する。
【００２７】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００２８】
１１・・・乗りかご
１１ａ…床部材
１２・・・床下シーブ
１３・・・巻上機シーブ
１４・・・釣合錘
１５・・・吊シーブ
１６・・・ロープ
２１・・・昇降路
２２・・・第１のロープヒッチ
２３・・・第２のロープヒッチ
２５・・・作業用のゴンドラ
２６・・・ロープドラム
【図１】
0005334026.tif 000002
【図２】
0005334026.tif 000003